【手続補正書】
【提出日】令和3年1月19日(2021.1.19)
【手続補正１】
【補正対象書類名】明細書
【補正対象項目名】００３４
【補正方法】変更
【補正の内容】
【００３４】
本開示の態様は、その真意または本質的な属性から逸脱することなく、他の形態で実施されることができる。したがって、本発明の範囲を標示するものとしては、以上の明細書ではなくむしろ以下の特許請求の範囲を参照すべきである。
本明細書に開示される発明は以下の態様を含む。
〔態様１〕
クラッチアセンブリであって、
第１の分離プレートと、
第２の分離プレートと、
前記第１の分離プレートに結合され前記第２の分離プレートと接触して、圧縮されると前記第１の分離プレートと前記第２の分離プレートとを分離する反発力を加えるようにするバネと、
を含む、クラッチアセンブリ。
〔態様２〕
前記第１の分離プレートが第１のタブを備え、前記第２の分離プレートが第２のタブを備え、前記バネが前記第１のタブおよび前記第２のタブに結合されている、態様１に記載のクラッチアセンブリ。
〔態様３〕
前記第１のタブが第１の凹部を備え、前記第２のタブが第２の凹部を備え、前記バネの第１の端部が前記第１の凹部と係合し、前記バネの第２の端部が前記第２の凹部と係合する、態様２に記載のクラッチアセンブリ。
〔態様４〕
前記第１のタブが凹部を備え、前記第２のタブが平坦な外部表面を備え、前記バネの第１の端部が前記凹部と係合し、前記バネの第２の端部が前記平担な外部表面と係合する、態様２に記載のクラッチアセンブリ。
〔態様５〕
前記第１のタブが突起を備え、前記第２のタブが凹部を備え、前記バネの第１の端部が前記突起と係合し、前記バネの第２の端部が前記凹部と係合する、態様２に記載のクラッチアセンブリ。
〔態様６〕
前記第１のタブが突起を備え、前記第２のタブが平担な外部表面を備え、前記バネの第１の端部が前記突起と係合し、前記バネの第２の端部が前記平担な外部表面と係合する、態様２に記載のクラッチアセンブリ。
〔態様７〕
更に、
前記バネを備えるバネリングであって、前記第１の分離プレートと前記第２の分離プレートの間にあるバネリング、
を備える、態様１に記載のクラッチアセンブリ。
〔態様８〕
更に、
第３の分離プレートであって、前記バネが前記第３の分離プレートと接触して、圧縮されると前記バネが前記第１の分離プレートと前記第３の分離プレートとを分離する反発力を加えるようにする、第３の分離プレート
を備える、態様１に記載のクラッチアセンブリ。
〔態様９〕
分離プレートであって、
環状部分と、
角度的に離隔され前記環状部分の外縁部から延在する複数のタブと、
前記複数のタブの第１のタブに結合された第１のバネと、
を備える、分離プレート。
〔態様１０〕
前記第１のタブが第１の凹部を備え、前記バネの第１の端部が前記第１の凹部と係合する、態様９に記載の分離プレート。
〔態様１１〕
前記第１のタブが突起を備え、前記バネの第１の端部が前記突起と係合する、態様９に記載の分離プレート。
〔態様１２〕
前記複数のタブがさらに、前記第１のタブとは直径方向反対側に位置付けされた第２のタブを備え、第２のバネが前記第２のタブに結合されている、態様９に記載の分離プレート。
〔態様１３〕
前記第１のバネが前記第２のバネと同様に構成されている、態様１２に記載の分離プレート。
〔態様１４〕
クラッチの隣接する分離プレート同士間に分離力を発生させる方法において、
第１の分離プレートを提供することと、
第２の分離プレートを提供することと、
前記第１の分離プレートに結合され前記第２の分離プレートと接触して、圧縮されると前記第１の分離プレートと前記第２の分離プレートとを分離する反発力を加えるようにするバネを提供することと、
を含む、方法。
〔態様１５〕
前記第１の分離プレートが第１のタブを備えており、前記第２の分離プレートが第２のタブを備えており、前記バネが前記第１のタブおよび前記第２のタブに結合されている、態様１４に記載の方法。
〔態様１６〕
前記第１のタブが第１の凹部を備えており、前記第２のタブが第２の凹部を備えており、前記バネの第１の端部が前記第１の凹部と係合しており、前記バネの第２の端部が前記第２の凹部と係合している、態様１５に記載の方法。
〔態様１７〕
前記第１のタブが凹部を備えており、前記第２のタブが平坦な外部表面を備えており、前記バネの第１の端部が前記凹部と係合しており、前記バネの第２の端部が前記平担な外部表面と係合している、態様１５に記載の方法。
〔態様１８〕
前記第１のタブが突起を備えており、前記第２のタブが凹部を備えており、前記バネの第１の端部が前記突起と係合しており、前記バネの第２の端部が前記凹部と係合している、態様１５に記載の方法。
〔態様１９〕
前記第１のタブが突起を備えており、前記第２のタブが平担な外部表面を備えており、前記バネの第１の端部が前記突起と係合しており、前記バネの第２の端部が前記平担な外部表面と係合している、態様１５に記載の方法。
〔態様２０〕
更に、
前記バネを備えるバネリングであって、前記第１の分離プレートと前記第２の分離プレートの間にあるバネリングを提供すること、
を含む、態様１４に記載の方法。
【手続補正２】
【補正対象書類名】特許請求の範囲
【補正対象項目名】全文
【補正方法】変更
【補正の内容】
【特許請求の範囲】
【請求項１】
クラッチアセンブリであって、
第１の分離プレートと、
第２の分離プレートと、
前記第１の分離プレートと前記第２の分離プレートの一方から、前記第１の分離プレートと前記第２の分離プレートの他方に向かう方向に延在する隆起部分と、
前記第１の分離プレートと前記第２の分離プレートの他方の表面に形成された凹部であって、該表面が前記第１の分離プレートと前記第２の分離プレートの一方に向けられた、凹部と、
前記第１の分離プレートと前記第２の分離プレートとの間に延在するコイルのバネであって、前記凹部の真向かいの位置に前記バネの第１端部部分を維持すべく、前記隆起部分が前記コイルの内部に沿って前記コイルのバネと接触するように、前記隆起部分に搭載される第１端部部分と、前記凹部に収容される第２部分とを有し、圧縮されると前記第１の分離プレートと前記第２の分離プレートとを分離する反発力を加えるようにする、コイルのバネと、
を含む、クラッチアセンブリ。
【請求項２】
前記第１の分離プレートが第１のタブを備え、前記第２の分離プレートが第２のタブを備え、前記隆起部分は前記第１のタブから延在し、前記凹部は前記第２のタブの表面に形成される、請求項１に記載のクラッチアセンブリ。
【請求項３】
前記第１のタブが第１の凹部を備え、前記第２のタブが第２の凹部を備え、前記バネの第１の端部が前記第１の凹部と係合し、前記バネの第２の端部が前記第２の凹部と係合する、請求項２に記載のクラッチアセンブリ。
【請求項４】
前記第１のタブが凹部を備え、前記第２のタブが平坦な外部表面を備え、前記バネの第１の端部が前記凹部と係合し、前記バネの第２の端部が前記平坦な外部表面と係合する、請求項２に記載のクラッチアセンブリ。
【請求項５】
前記第１のタブが突起を備え、前記第２のタブが平坦な外部表面を備え、前記バネの第１の端部が前記突起と係合し、前記バネの第２の端部が前記平坦な外部表面と係合する、請求項２に記載のクラッチアセンブリ。
【請求項６】
更に、
前記バネを備えるバネリングであって、前記第１の分離プレートと前記第２の分離プレートの間にあるバネリング、
を備える、請求項１に記載のクラッチアセンブリ。
【請求項７】
更に、
第３の分離プレートであって、前記バネが前記第３の分離プレートと接触して、圧縮されると前記バネが前記第１の分離プレートと前記第３の分離プレートとを分離する反発力を加えるようにする、第３の分離プレート
を備える、請求項１に記載のクラッチアセンブリ。
【請求項８】
サブアセンブリであって、
分離プレートであって、環状部分と、角度的に離隔され前記環状部分の外縁部から外側に延在する複数のタブと、前記複数のタブの第１のタブの第１の表面から、前記第１のタブの第１の表面により画成される面から離れる方向に延在する隆起部分と、前記第１の表面と反対側の前記第１のタブの第２の表面に形成される凹部とを含む、分離プレートと、
第１のバネであって、前記分離プレートの第１の表面に沿った該バネの端部部分の動きを防ぐように、前記隆起部分に搭載される第１のバネと、
を備える、サブアセンブリ。
【請求項９】
前記第１のタブが第１の凹部を備え、前記バネの第１の端部が前記第１の凹部と係合する、請求項８に記載のサブアセンブリ。
【請求項１０】
前記複数のタブがさらに、前記第１のタブとは直径方向反対側に位置付けされた第２のタブと、前記第１のタブの表面により画成される面から離れる方向において前記第２のタブの表面から延在する隆起部分とを備え、
第２のバネが、前記第２のタブの表面から延在する隆起部分に搭載されている、
請求項８に記載のサブアセンブリ。
【請求項１１】
前記第１のバネが前記第２のバネと同様に構成されている、請求項１０に記載のサブアセンブリ。